(57)【要約】【課題】簡易な構成で、１ｎｍを越える広帯域で４０ｄＢを越える高遮断量を得ること。【解決手段】光入力に対し、１ｎｍを越える広帯域で４０ｄＢを越える高遮断のフィルタリングを行うＦＢＧ部４０であって、クラッド４２の領域に、紫外線に対して感光性を有する感光性材料を添付し、コア４１の領域と同じチャープトブラッググレーティングを形成している。【選択図】    図９
2008282044.tif 000002
【特許請求の範囲】
【請求項１】
光入力に対し、所望の１ｎｍを越える広帯域で高遮断のフィルタリングを行うファイバブラッググレーティング素子であって、
開口数が０．２以上の光ファイバにチャープトブラッググレーティングを形成したことを特徴とするファイバブラッググレーティング素子。
【請求項２】
光入力に対し、所望の１ｎｍを越える広帯域で高遮断のフィルタリングを行うファイバブラッググレーティング素子であって、
コア領域内の外側にクラッド領域に比して屈折率が低いリング状の領域を設け、少なくとも該コア領域にチャープトブラッググレーティングを形成したことを特徴とするファイバブラッググレーティング素子。
【請求項３】
光入力に対し、所望の１ｎｍを越える広帯域で高遮断のフィルタリングを行うファイバブラッググレーティング素子であって、
少なくともコア領域にチャープトブラッググレーティングを形成し、クラッド領域の外側であって該クラッド領域の屈折率以上の屈折率をもつ材料によってこのチャープトブラッググレーティングが形成されたコア領域の一部あるいは全部を覆うことを特徴とするファイバブラッググレーティング素子。
【請求項４】
クラッド領域の外側であって該クラッド領域の屈折率以上の屈折率をもつ材料によって前記チャープトブラッググレーティングの一部あるいは全部を覆うことを特徴とする請求項１または２に記載のファイバブラッググレーティング素子。
【請求項５】
請求項１〜４に記載のファイバブラッググレーティング素子を内蔵し、光ファイバを結合することを特徴とするコネクタ。
【発明の詳細な説明】
【技術分野】
【０００１】
この発明は、光入力に対し、広帯域で高遮断のフィルタリングを行う光フィルタとしての機能を有したファイバブラッググレーティング素子に関するものである。
【背景技術】
【０００２】
従来から、光通信装置では、所望の波長帯域を遮断するためにファイバブラッググレーティング（ＦＢＧ:Fiber  Bragg  Grating）を用いた光フィルタが多用されている。このＦＢＧは、光ファイバに紫外線を照射すると屈折率が上昇する「光誘起屈折率変化」を利用したものであり、この光誘起屈折率変化を大きくすることによって大きな遮断量を得ることができる。ＦＢＧは、ファイバコア上に周期的な屈折率変化を形成したものであり、この周期的な屈折率変化は、二光束干渉法やフェーズマスクを用いた方法によって形成される。この周期的な屈折率変化によって、ブラッグ中心波長λBが反射され、結果的にこのブラッグ中心波長λB領域の光が遮断されることになる。なお、ブラッグ中心波長λBは、λB＝２ｎΛで表される。ここで、ｎは、光ファイバの実効屈折率であり、Λは、周期的な屈折率変化の間隔を意味するグレーティングピッチである。このようなＦＢＧは、ＷＤＭ通信システム以外にも、合分波器、線路監視用フィルタ、温度センサ、ひずみセンサとしても用いられる。
【０００３】
【特許文献１】特開２００３−２４９８９８号公報
【発明の開示】
【発明が解決しようとする課題】
【０００４】
ところで、たとえば１ｎｍを越える広帯域で光入力を遮断しようとする場合、ＦＢＧをチャープトグレーティングにし、さらにこの帯域で大きな遮断量を得ようとする場合、グレーティング長を長くすることによって大きな遮断量を実現している。たとえば、図１６は、波長１６５０ｎｍ帯の１０ｎｍ帯域の光を７ｍｍのチャープトグレーティングによって遮断した結果を示しており、約３５ｄＢの遮断量（図では、透過損失で示しているが以下、遮断量という）を得ている。そして、図１７は、同じ波長１６５０ｎｍ帯の１０ｎｍ帯域の光を１３ｍｍのチャープトグレーティングによって遮断した結果を示しており、約４０ｄＢの遮断量を得ている。
【０００５】
しかしながら、チャープトグレーティング長を約２倍にした場合、遮断量も約２倍となって約８０ｄＢ程度の遮断量が得られるはずなのに、図１７に示した遮断量は、若干（５ｄＢ程度）の遮断量増加となっているに過ぎない。すなわち、単にチャープトグレーティング長を長くしても大きな遮断量を得るには限界がある。
【０００６】
一方、近年の光通信分野などでは、監視通信系の光を実通信系の光と確実に分離する必要があり、この監視通信系の光が実通信系に漏れることによる実通信への影響を極力なくすため、たとえば６０ｄＢ程度の遮断量が要求される場合がある。しかし、上述したように、広帯域で大きな遮断量を得るＦＢＧは、約４０ｄＢ程度が限界であり、１ｎｍを越える広帯域で４０ｄＢを越える遮断量が得られるＦＢＧの出現が要望されていた。
【０００７】
この発明は、上記に鑑みてなされたものであって、簡易な構成で、１ｎｍを越える広帯域で４０ｄＢを越える高遮断量を得ることができるファイバブラッググレーティング素子を提供することを目的とする。
【課題を解決するための手段】
【０００８】
上述した課題を解決し、目的を達成するために、この発明にかかるファイバブラッググレーティング素子は、光入力に対し、所望の１ｎｍを越える広帯域で４０ｄＢを越える高遮断のフィルタリングを行うファイバブラッググレーティング素子であって、光ファイバのクラッド領域に、紫外線に対して感光性を有する感光性材料を添付し、コア領域と同じチャープトブラッググレーティングを形成したことを特徴とする。
【０００９】
また、この発明にかかるファイバブラッググレーティング素子は、光入力に対し、所望の１ｎｍを越える広帯域で４０ｄＢを越える高遮断のフィルタリングを行うファイバブラッググレーティング素子であって、開口数が０．２以上の光ファイバにチャープトブラッググレーティングを形成したことを特徴とする。
【００１０】
また、この発明にかかるファイバブラッググレーティング素子は、光入力に対し、所望の１ｎｍを越える広帯域で４０ｄＢを越える高遮断のフィルタリングを行うファイバブラッググレーティング素子であって、コア領域内の外側に該コア領域中心部に比して屈折率が低いリング状の領域を設け、少なくとも該コア領域にチャープトブラッググレーティングを形成したことを特徴とする。
【００１１】
また、この発明にかかるファイバブラッググレーティング素子は、光入力に対し、所望の１ｎｍを越える広帯域で４０ｄＢを越える高遮断のフィルタリングを行うファイバブラッググレーティング素子であって、少なくともコア領域にチャープトブラッググレーティングを形成し、クラッド領域の外側であって該クラッド領域の屈折率以上の屈折率をもつ材料によってこのチャープトブラッググレーティングが形成されたコア領域の一部あるいは全部を覆うことを特徴とする。
【００１２】
また、この発明にかかるファイバブラッググレーティング素子は、上記の発明において、クラッド領域の外側であって該クラッド領域の屈折率以上の屈折率をもつ材料によって前記チャープトブラッググレーティングの一部あるいは全部を覆うことを特徴とする。
【００１３】
また、この発明にかかるコネクタは、上記の発明に記載のファイバブラッググレーティング素子を内蔵し、光ファイバを結合することを特徴とする。
【発明の効果】
【００１４】
この発明にかかるファイバブラッググレーティング素子は、光ファイバのクラッド領域に、紫外線に対して感光性を有する感光性材料を添付し、コア領域と同じチャープトブラッググレーティングを形成し、または、開口数が０．２以上の光ファイバにチャープトブラッググレーティングを形成し、コア領域内の外側にクラッド領域に比して屈折率が低いリング状の領域を設け、少なくとも該コア領域にチャープトブラッググレーティングを形成し、または、少なくともコア領域にチャープトブラッググレーティングを形成し、クラッド領域の外側であって該クラッド領域の屈折率以上の屈折率をもつ材料によってこのチャープトブラッググレーティングが形成されたコア領域の一部あるいは全部を覆い、さらには、これらの組み合わせによって、グレーティング長が短くても、簡易な構成で、１ｎｍを越える広帯域で４０ｄＢを越える高遮断量を得ることができるという効果を奏する。
【発明を実施するための最良の形態】
【００１５】
以下、この発明を実施するための最良の形態であるファイバブラッググレーティング素子について説明する。
【００１６】
（実施の形態１）
図１は、この発明の実施の形態１にかかるファイバブラッググレーティング素子を用いた光分岐線路監視システムの概要構成を示す図である。この光分岐線路監視システムは、伝送装置１０に幹線光線路２２が接続され、この幹線光線路２２は、光スプリッタ２８によって光多分岐され、複数の幹線光線路２２に分岐される。この分岐された幹線光線路２２は、光カプラ１８を介して局外に延び、屋外の光スプリッタ３によって各分岐線路１ａ1〜１ａ8に光多分岐される。光多分岐された各分岐光線路１ａ1〜１ａ8は、ユーザ２４内の各ＯＮＵ（Optical  Network  Unit）２０に接続される。なお、この光スプリッタ３は、図示しない光線路監視用デバイスを有し、この光監視線路用デバイスは、監視光λｃ1〜λｃ8のみをそれぞれ各分岐光線路１ａ1〜１ａ8に対応させて入出力する。
【００１７】
制御部２６は、ＯＴＤＲ（Optical  Time  Domain  Reflectometer）２が出力する可変波長の監視光の出力制御を行い、ファイバセレクタ（ＦＳ）２５に出力するとともに、受信計測の制御をも行う。ＯＴＤＲ２は、この制御部２６およびＦＳ２５を介して光カプラ１８に接続される。
【００１８】
各ＯＮＵ２０は、各ＯＮＵ２０固有の監視光波長が割り当てられ、各ＯＮＵ２０内にはそれぞれ監視光波長帯域の監視光を反射し、出力を遮断するＦＢＧ２１−１〜２１−８が設けられている。なお、各ＦＢＧ２１−１〜２１−８は、同じ構成のＦＢＧであり、約１０ｎｍ帯域の監視光を約６０ｄＢ遮断する特性を有する。
【００１９】
制御部２６は、監視すべきλｃ1〜λｃ8の監視光を周期的に出射させ、光カプラ１８を介して幹線光線路２２に出力される。この際、ＦＳ２５は、出力すべき幹線光線路２２を選択する。光カプラ１８において、伝送装置１０から伝搬した波長λｂの通信光は、たとえば波長λｃ1の監視光とともに光スプリッタ３に入力され、波長λｂの通信光は、分岐光線路１ａ1〜１ａ8を介して各ＯＮＵ２０に入力されるとともに、波長λｃ1の監視光は、分岐光線路１ａ1に接続されたＯＮＵ２０に入力される。
【００２０】
図２に示すように波長λｃ1の監視光は、ＦＢＧ２１−１によって反射されるが、波長λｂの通信光は、そのまま光受信部３１−１で受信され、Ｏ／Ｅ部３２−１によって光／電気変換され、受信処理部３３−１に入力される。同様にして、分岐光線路１ａ3に、波長λｃ3の監視光と波長λｂの通信光とが入力された場合にも、波長λｃ1の監視光は、ＦＢＧ２１−３によって反射されるが、波長λｂの通信光は、そのまま光受信部３１−３で受信され、Ｏ／Ｅ部３２−３によって光／電気変換され、受信処理部３３−３に入力される。ここで、波長λｃ1などの監視光が光受信部３１−１〜３１−８に入力されると、通信エラーなどが生じ、通信に大きな影響を及ぼし、これらの監視光をＦＢＧ２１−１〜２１−８によって確実に遮断する必要がある。ここで、上述したようにＦＢＧ２１−１〜２１−８は、監視光の波長帯域約１０ｎｍにおいて約６０ｄＢの遮断量を有するので、確実に監視光を遮断することができる。なお、ＦＢＧ２１−１〜２１−８は、図示しないフェルールなどによって固定され、コネクタ３０−１〜３０−８内に設けられる。
【００２１】
ここで、ＦＢＧ２１（２１−１〜２１−８）の構成について説明する。図３に示すように、ＦＢＧ２１は、波長λｃ1〜λｃ8に対応するグレーティングピッチΛが長手方向に変化するチャープトグレーティングであり、図４に示すように、ブラッグ中心波長が波長λｃ1〜λｃ8であるため、λｃ1〜λｃ8までの広帯域で反射することができ、この波長帯域の光を遮断することができる。この結果、ＯＮＵ２０は、同一のＦＢＧ２１を用いることができる。なお、ＦＢＧ２１は、各監視光の波長をブラッグ中心波長として形成されたものを用いてもよい。
【００２２】
図５は、ＦＢＧ２１を含むＦＢＧ部４０の縦断面図であり、図６は、ＦＢＧ２１を含むＦＢＧ部４０の横断面図および屈折率プロファイルを示している。図５および図６において、ＦＢＧ２１は、コア４１の領域の長手方向に形成されたチャープトグレーティングによって波長λｃ１〜λｃ８までの波長光を遮断し、その長さは１３ｍｍである。ここで、ＦＢＧ部４０のクラッド４２の外部は、クラッド４２の屈折率以上の屈折率をもつ高屈折率部４３によって覆われている。なお、高屈折率部４３は、ＦＢＧ部２１の周囲全体であることが好ましいが、一部であってもよい。高屈折率部４３に用いられる部材は、コア４１およびクラッド４２の屈折率以上の高い屈折率をもつものであればよく、たとえばマッチングオイルでも、接着剤でもよい。なお、高屈折率部４３は、コア４１の屈折率以上の高い屈折率をもつものでもよい。
【００２３】
図７は、ＦＢＧ部４０の遮断特性を示す図である。図７では、マッチングオイルを高屈折率部４３としたものであり、ＦＢＧ部４０は、１６５０ｎｍを中心に約１０ｎｍの帯域で、光入力を、６０ｄＢ以上遮断している。なお、透過損失が、−７０ｄＢ近傍において揺らぎが生じるのは測定限界だからである。
【００２４】
この実施の形態１では、ＦＢＧ２１を有したコア４１に対応するクラッド４２の外部に、クラッド４２の屈折率以上の屈折率をもつ高屈折率部４３で覆うことによって、１０ｎｍ程度の広帯域でも約６０ｄＢ以上の遮断特性を得ることができる。また、逆に、短いグレーティング長であっても、従来に比して大きな遮断特性を得ることができるのは言うまでもない。
【００２５】
なお、図１では、光スプリッタ３によって多分岐する構成を示したが、図８に示すように光スプリッタ２８よりも下流の分岐されない単一の光線路１ａに対してＯＮＵ２０が直接接続され、監視光を、光カプラ１８を介して送受するようにしてもよい。この場合、単一波長λｃ4とするのが好ましい。これは、ＯＴＤＲ２が発光する光の中心波長ずれが大きいためであり、このために、１ｎｍを超える広帯域のＦＢＧ２０が必要となる。
【００２６】
（実施の形態２）
つぎに、この発明の実施の形態２について説明する。上述した実施の形態１では、チャープトグレーティングであるＦＢＧ２１をコア４１のみに形成するようにしていたが、この実施の形態２では、コア５１のみでなくクラッド５２領域にも同一のチャープトグレーティングを形成するようにしている。
【００２７】
図９は、この発明の実施の形態２であるＦＢＧ２１ａを有したＦＢＧ部５０の縦断面図を示し、図１０は、ＦＢＧ部５０の横断面および屈折率プロファイルを示している。図９に示すように、ＦＢＧ部５０は、クラッド５２の一部領域であるクラッド５２ａまでＦＢＧ２１ａが形成されている。このクラッド５２ａの領域に形成されたＦＢＧ２１ａによって、クラッド５２を介した光が、基本モードと高次モードを結合しないようにしている。出力側に漏れないようにしている。このクラッド５２内のクラッド５２ａの領域のチャープトグレーティングの形成は、クラッド５２ａの領域に、コア５１に添加したＧｅとほぼ同量のＧｅをクラッド５２ａの領域に添加しておき、コア５１の領域にチャープトグレーティングを形成すると同じように、二光束干渉法やフェーズマスクを用いた方法によって行うことができる。なお、この実施の形態２では、クラッド５２ａにＧｅを添加しているが、これに限らず、チャープトグレーティングがクラッド５２ａの領域に形成できればよく、たとえば、リンなどの紫外線に感光する材料をクラッド５２ａの領域に添加すればよい。また、必要に応じて、図５に示した高屈折率４３をクラッド５２の外側に形成してもよい。
【００２８】
この実施の形態２によっても、実施の形態１と同様に、図７に示したように、１０ｎｍ程度の高帯域でも約６０ｄＢ以上の遮断特性を得ることができるＦＢＧ部５０を実現できる。
【００２９】
（実施の形態３）
つぎに、この発明の実施の形態３について説明する。上述した実施の形態２では、クラッド５２の領域にチャープトグレーティングを形成するようにしていたが、この実施の形態３では、コア６１の領域の屈折率を通常よりも高くしている。
【００３０】
図１１は、この発明の実施の形態３であるＦＢＧ２１ｂを有したＦＢＧ部６０の縦断面図を示し、図１２は、ＦＢＧ部６０の横断面および屈折率プロファイルを示している。図１１に示すように、ＦＢＧ部６０は、実施の形態１のコア４１と同様に、コア６１の領域にチャープトグレーティングであるＦＢＧ２１ｂを形成している。ここで、コア６１には、クラッド６２に比して高い屈折率を有し、たとえば開口数（ＮＡ）を０．２以上とすることが好ましい。また、必要に応じて、図５に示した高屈折率４３をクラッド５２の外側に形成してもよい。
【００３１】
図１３は、開口数が０．３４となるファイバにおける遮断特性を示した図である。図１３に示すように、この実施の形態３によっても、１６５０ｎｍを中心とした約１０ｎｍの高帯域で、約６０ｄＢ以上の遮断を実現している。
【００３２】
（実施の形態４）
つぎに、この発明の実施の形態４について説明する。上述した実施の形態３では、コア６１の領域の屈折率をクラッド６２の領域よりも通常より高めの屈折率としたが、この実施の形態５では、コア７１領域内の外側領域の屈折率をクラッド７２の領域よりも低くしている。
【００３３】
図１４は、この発明の実施の形態４であるＦＢＧ２１ｃを有したＦＢＧ部７０の縦断面図を示し、図１５は、ＦＢＧ部７０の横断面および屈折率プロファイルを示している。図１４に示すように、ＦＢＧ部７０は、実施の形態１のコア４１と同様に、コア７１の領域にチャープトグレーティングであるＦＢＧ２１ｃを形成している。ここで、図１５に示すように、コア７１は、コア７１領域内の外側領域の屈折率を、クラッド７２の領域の屈折率よりも低くし、そのプロファイルがＷ型（ディスプレイスドクラッドファイバ）になるようにしている。このように屈折率プロファイルをＷ型とすることによって、クラッド７２に生じるクラッドモードＭ１が結合しないようにしている。さらに、実施の形態１に示したように高屈折率部７３を設けることによって、クラッドモードＭ１自体が存在しないようにしてもよい。いずれの場合にも、クラッドモードが存在しないので、遮断特性を格段に向上させることができる。
【００３４】
この実施の形態４によっても、実施の形態１と同様に、図７に示したように、１０ｎｍ程度の高帯域でも約６０ｄＢ以上の遮断特性を得ることができるＦＢＧ部７０を実現できる。
【図面の簡単な説明】
【００３５】
【図１】この発明の実施の形態１にかかるファイバブラッググレーティング素子を用いた光分岐線路監視システムの概要構成を示す図である。
【図２】ＯＮＵ側における監視光と通信光との伝送状態を示す図である。
【図３】チャープトグレーティングの構成を示す模式図である。
【図４】チャープトグレーティングによる広帯域フィルタの概念を示す模式図である。
【図５】この発明の実施の形態１であるファイバブラッググレーティング素子の縦断面図である。
【図６】この発明の実施の形態１であるファイバブラッググレーティング素子の横断面および屈折率プロファイルを示す図である。
【図７】この発明の実施の形態１であるファイバブラッググレーティング素子によって１６５０ｎｍ帯の約１０ｎｍの帯域で６０ｄＢ以上の遮断特性を得た実験結果を示す図である。
【図８】この実施の形態１であるファイバブラッググレーティング素子が適用される他のシステムの一例を示すブロック図である。
【図９】この発明の実施の形態２であるファイバブラッググレーティング素子の縦断面図である。
【図１０】この発明の実施の形態２であるファイバブラッググレーティング素子の横断面および屈折率プロファイルを示す図である。
【図１１】この発明の実施の形態３であるファイバブラッググレーティング素子の縦断面図である。
【図１２】この発明の実施の形態３であるファイバブラッググレーティング素子の横断面および屈折率プロファイルを示す図である。
【図１３】この発明の実施の形態３であるファイバブラッググレーティング素子によって１６５０ｎｍ帯の約１０ｎｍの帯域で６０ｄＢ以上の遮断特性を得た実験結果を示す図である。
【図１４】この発明の実施の形態４であるファイバブラッググレーティング素子の縦断面図である。
【図１５】この発明の実施の形態４であるファイバブラッググレーティング素子の横断面および屈折率プロファイルを示す図である。
【図１６】グレーティング長を７ｍｍとした場合における従来の広帯域のファイバブラッググレーティング素子の遮断特性を示す図である。
【図１７】図１６に示したグレーティング長を１３ｍｍとした場合における従来の広帯域のファイバブラッググレーティング素子の遮断特性を示す図である。
【符号の説明】
【００３６】
１ａ1〜１ａ8  分岐光線路
２  ＯＴＤＲ
３，２８  光スプリッタ
１０  伝送装置
１８  光カプラ
２０  ＯＮＵ
２１，２１−１〜２１−８，２１ａ，２１ｂ，２１ｃ  ＦＢＧ
２２  基幹光線路
２４  ユーザ
２５  ファイバセレクタ
２６  制御部
３０−１，３０−３  光コネクタ
３１−１，３１−３  光受信部
３２−１，３２−３  Ｏ／Ｅ部
３３−１，３３−３  受信処理部
４０，５０，６０，７０  ＦＢＧ部
４１，５１，６１，７１  コア
４２，５２，６２，７２  クラッド
４３，７３  高屈折率部
λａ，λｂ  通信光の波長
λｃ1〜λｃ8  監視光の波長
【図１】
2008282044.tif 000003
【図２】
2008282044.tif 000004
【図３】
2008282044.tif 000005
【図４】
2008282044.tif 000006
【図５】
2008282044.tif 000007
【図６】
2008282044.tif 000008
【図７】
2008282044.tif 000009
【図８】
2008282044.tif 000010
【図９】
2008282044.tif 000011
【図１０】
2008282044.tif 000012
【図１１】
2008282044.tif 000013
【図１２】
2008282044.tif 000014
【図１３】
2008282044.tif 000015
【図１４】
2008282044.tif 000016
【図１５】
2008282044.tif 000017
【図１６】
2008282044.tif 000018
【図１７】
2008282044.tif 000019